(57)【特許請求の範囲】
【請求項１】
使用者により操作される操作部が設けられた筐体と、前記操作部が操作されると閃光を発する閃光部とを備える威嚇装置において、
前記操作部は２つの発光スイッチでなり、
前記２つの発光スイッチは、前記筐体の相対する２つの面に分けてそれぞれ設けられ、前記筐体の内側方向へ押下されたときに閉となり、
前記閃光部は、前記２つの発光スイッチがともに閉となると前記閃光を発する
ことを特徴とする威嚇装置。
【請求項２】
前記閃光部に電力を供給する交換可能な電池と、
前記閃光部が閃光を発し得る状態にあるか否かの監視をし、その監視の結果を表示する監視表示部と
を有し、
前記２つの発光スイッチ、前記閃光部及び前記電池は電気回路として直列に接続され、
前記監視表示部は、前記操作部に並列に接続されている
ことを特徴とする請求項１に記載の威嚇装置。
【請求項３】
前記監視表示部は発光ダイオード及び抵抗の直列回路を含むことを特徴とする請求項２に記載の威嚇装置。
【請求項４】
前記直列回路に更に直列に電圧検出用ダイオードを接続してなることを特徴とする請求項３に記載の威嚇装置。
【発明の詳細な説明】
【０００１】
【発明の属する技術分野】
本発明は、現金や証券などの重要物件を金融機関などに現金輸送車で輸送する者が、強盗に襲われたときに強盗に対抗するのに適した装置に関し、特に賊の視覚を奪うことのできる威嚇装置に関する。
【０００２】
【従来の技術】
近年、金融機関の現金や重要書類を狙った犯罪が多発している。そして、これらの犯罪は、現金等の警備が最も手薄になるとき、例えば現金などの輸送中や受渡のときを狙い強盗に及ぶことが多い。
【０００３】
従来、現金の輸送などに当たる者は防弾チョッキ、警棒等の装備を装着し又は携行することにより、賊に対抗しようとしていた。一般に、現金の輸送などに当たる者は警備専門会社の社員であって、各輸送車ごとに編成された警備隊の隊員であることが多いので、以下では現金の輸送などに当たる者を通称に従い隊員と称することにする。
【０００４】
【発明が解決しようとする課題】
隊員が従来から装備する警棒などは、警棒が賊に届く程に隊員と賊との距離が近いときには賊に脅威を与えるので有効であるが、隊員と賊との距離が少し離れると賊に与える脅威が小さく、必ずしも有効ではない。隊員と賊との距離が離れていても賊の動きを封じる程に賊に脅威を与え得る物としてはピストルがある。しかし、ピストルは殺傷力が大きいから、わが国の法制では一般の隊員の携行は許容されていない。
【０００５】
そこで、本発明の目的は、隊員と賊との距離が離れていても賊の動きを封じ得る程度に賊を威嚇でき、しかも人を殺傷する虞のない装置の提供にある。
【０００６】
【課題を解決するための手段】
前記課題を解決し前記目的を達成するために本発明は次の手段を提供する。
【０００７】
（１）使用者により操作される操作部が設けられた筐体と、前記操作部が操作されると閃光を発する閃光部とを備える威嚇装置において、
前記操作部は２つの発光スイッチでなり、
前記２つの発光スイッチは、前記筐体の相対する２つの面に分けてそれぞれ設けられ、前記筐体の内側方向へ押下されたときに閉となり、
前記閃光部は、前記２つの発光スイッチがともに閉となると前記閃光を発する
ことを特徴とする威嚇装置。
【０００８】
（２）前記閃光部に電力を供給する交換可能な電池と、
前記閃光部が閃光を発し得る状態にあるか否かの監視をし、その監視の結果を表示する監視表示部と
を有し、
前記２つの発光スイッチ、前記閃光部及び前記電池は電気回路として直列に接続され、
前記監視表示部は、前記操作部に並列に接続されている
ことを特徴とする前記（１）に記載の威嚇装置。
【０００９】
（３）前記監視表示部は発光ダイオード及び抵抗の直列回路を含むることを特徴とする前記（２）に記載の威嚇装置。
【００１０】
（４）前記直列回路に更に直列に電圧検出用ダイオードを接続してなることを特徴とする前記（３）に記載の威嚇装置。
【００１１】
（削除）
【００１２】
【作用】
本発明の威嚇装置は、隊員などの使用者が携帯でき、賊などの相手を威嚇しようとするとき、反射部の指向方向を相手に向け、操作部から閃光命令を与えることにより、閃光部に閃光を発させると共に、その閃光を反射部で反射し、相手の目の方向に閃光を指向させ、その賊などの威嚇相手の網膜を強い閃光により急激に刺激し、威嚇相手の視力を一時的に奪う。この威嚇装置は、閃光を相手の目に照射し、相手の視力を一時的に奪い、相手を威嚇するのであるから、使用者と相手との距離がある程度離れていても威嚇の効果が大きく、しかも人を殺傷する虞がない。
【００１３】
さらに、監視表示部を備えることにより、本威嚇装置の有効性の可否の情報を使用者に任意の時に与えることができる。閃光部はフラッシュバルブ等の名称で簡易印刷器などに使用されているもので実用できるが、これらの閃光部は一度閃光を発させると、再使用ができず、交換を要するから、閃光を発させることによっては良品か不良品かの試験をすることができない。稀にしか閃光を発するようには使用されない本装置の信頼性を確認するために、監視表示部は極めて有効である。
【００１４】
また、監視表示部を発光ダイオードと抵抗の直列回路で構成することにより、微小なる消費電流で閃光部の良否を常時監視できる。その直列回路にさらにツェナーダイオードなどの電圧検出用ダイオードを設けることにより、電源の電池容量が閃光部に閃光を発させるのに足りるか否かを、発光ダイオードが発光しているか否かで表示できる。
【００１５】
また、操作部を２つの開閉スイッチで構成し、両開閉スイッチを直列に接続するとともに、電池を筐体に収容し、筐体を片手で把持できる形態に構成し、受力子を両開閉スイッチにそれぞれ備え、片手の親指及び人差し指で同時に押せる位置に受力子を設けることにより、使用者の操作の誤りにより操作部から閃光命令を入力してしまい、使用者の意図に反して閃光部を閃光させてしまう虞を効果的に軽減でき、しかも必要な時には一挙手で瞬時に閃光命令を操作部に与えることができる。
【００１６】
【実施の形態】
次に実施の形態を挙げ本発明を一層詳しく説明する。
【００１７】
図１は、反射鏡の指向軸を筐体の長手軸に一致させた状態における本発明の一実施の形態の威嚇装置を示す図であり、同図（Ａ）は右側面図、同図（Ｂ）は正面図である。図２は図１の威嚇装置の平面図である。図３は、反射鏡の指向軸を筐体の長手軸に対し直交させた状態におけるその実施の形態の威嚇装置を示す図であり、同図（Ａ）は右側面図、同図（Ｂ）は正面図である。図４（Ａ）は、図１（Ａ）の形態において反射鏡の指向軸を通り紙面に平行な平面における威嚇装置の断面を示す図であり、図４（Ｂ）はその威嚇装置の正面図である。図５は図１〜図４に示した威嚇装置の電気回路図である。
【００１８】
図１〜図５に示す本発明の実施の形態の威嚇装置において、発光スイッチ３，４が操作部に相当し、フラッシュバルブ５、バルブソケット１４、リード線１６、電源スイッチ２、接触端子Ｐ１〜Ｐ４，Ｑ１〜Ｑ４及び電池Ｂ１〜Ｂ４が閃光部に相当し、筐体１０、張り出し部材１１、反射鏡取り付け部材１２及び締めねじ１３が結合構造に相当する。
【００１９】
図５の回路図における、接触端子Ｑ１，Ｑ２，Ｑ３及びＱ４はそれぞれ接触端子Ｐ１，Ｐ２，Ｐ３及びＰ４に接触し、互いに電気的に接続されている。電池Ｂ１，Ｂ２は電池ボックス３１に収納され、電池Ｂ３，Ｂ４は電池ボックス３２に収納されている。電池Ｂ１〜Ｂ４がこの威嚇装置の電源をなしている。電源スイッチ２はトグルスイッチでなり、この威嚇装置を使用しようとするときは、ＯＮに設定する。例えば、現金輸送車で現金を輸送するときは、現金輸送車に搭乗するのに先立って行う装備点検の際にＯＮに設定し、任務を終えたときにＯＦＦに設定する。電源スイッチ２のＯＮ／ＯＦＦは電源スイッチ開閉つまみ２ａの操作により行う。
【００２０】
発光スイッチ３，４は前述の開閉スイッチであり、筐体１０の左右の側面に設けられている。発光スイッチ３，４は、それぞれ受力子を備え、常時は開（ＯＦＦ）である。筐体１０を保持する片手の親指及び人差し指でその受力子を押下することにより、それぞれ閉（ＯＮ）になる。両発光スイッチ３，４の受力子は、筐体１０の右側面および左側面にそれぞれ設けられているので、両発光スイッチ３，４の受力子を親指及び人差し指で同時に押すことが容易にでき、スイッチ３，４は同時に閉（ＯＮ）にできる。受力子は、発光スイッチ３，４の内で指の力で筐体の内側へ押し込まれる可動接片であり、接点を固定子に接触し、該発光スイッチ３，４を閉（ＯＮ）にする導体製の接点である。
【００２１】
フラッシュバルブ５は、簡易印刷器（例えば、プリントゴッコなる登録商標を付して市販されている簡易複写機）などに使用されている。フラッシュバルブ５には、写真撮影で照明に用いられるストロボも同様に利用できる。フラッシュバルブ５は金属箔とフィラメントとをガラスのバルブに収納してなる。金属箔は、薄く、糸状に細く成形され、所定値以上の温度では瞬時に酸素と化学反応を起こし酸化するマグネシュウムやアルミニューム等の金属でなり、急激な酸化反応をする時に閃光を発する。フィラメントは、閾値を越える電流を流すとジュール熱により該金属箔を前記所定値以上の温度に過熱する。したがって、フラッシュバルブ５は、フィラメントに閾値以上の電流を流し、金属箔を酸化させ、一度閃光を発すると、金属箔が酸化してしまい、再使用ができず、交換を要する。
【００２２】
発光スイッチ３，４に並列に発光ダイオードＬ１、抵抗Ｒ１及びツェナーダイオード（ Zener diode ）Ｄ１の直列回路が設けてある。発光ダイオードＬ１、抵抗Ｒ１及びツェナーダイオードＤ１でなる直列回路は、電池Ｂ１〜Ｂ４でなる電源及びフラッシュバルブ５のフィラメントでなる回路に関し直列に設けてある。ツェナーダイオードＤ１は、降伏電圧以上の電圧が印加されたときに、ツェナー降伏現象により、両端の電圧をその降伏電圧に保持する。そこで、発光ダイオードＬ１には、電池Ｂ１〜Ｂ４でなる電源の電圧が該ツェナーダイオードＤ１の降伏電圧を越えるときだけに流れる。
【００２３】
このような回路構成であるから、発光ダイオードＬ１が発光するのは、フラッシュバルブ５のフィラメントが正常に電流を通す状態であり、かつ電池Ｂ１〜Ｂ４でなる電源の電圧が該ツェナーダイオードＤ１の降伏電圧を越えるときだけである。したがって、発光ダイオードＬ１の発光を視認することにより、フラッシュバルブ５のフィラメントが切れたいわゆる玉切れの状態ではなく、しかも電源もフラッシュバルブ５の閃光に必要なだけの容量を有することを確認できる。ツェナーダイオードＤ１は、フラッシュバルブ５の閃光に必要な電源の出力電圧に相当する降伏電圧を示すものを選択しておく。
【００２４】
発光信号記憶回路６は、フリップフロップ回路などの一種のラッチ回路で構成される。使用者が、フラッシュバルブ５を閃光させるための閃光命令をこの威嚇装置に与え、すなわち発光スイッチ３，４をＯＮにすると、発光信号記憶回路６はその閃光命令を記憶する。閃光命令は、発光スイッチ３，４をＯＮにしたときに、電源から供給される電圧であり、閃光命令を表す信号を発光信号と称することにする。発光信号記憶回路６は、発光スイッチ３，４のＯＮにより閃光命令が一度入力されると、記憶した発光信号をブザー駆動回路７へ供給し続ける。ブザー駆動回路７は、発光信号記憶回路６から発光信号を受けている間は、ブザー８を鳴動させるに足る駆動電流をブザー８へ供給する。ブザー駆動回路７は、電源スイッチ２を介して電池Ｂ１〜Ｂ４から必要な電力を受ける。ブザー８は圧電ブザーでなる。
【００２５】
発光信号記憶回路６、ブザー駆動回路７及びブザー８でなるブザー回路の前記構成により、使用者が発光スイッチ３，４を操作して、フラッシュバルブ５で閃光を発し、強盗などの威嚇対象者の網膜を急激に刺激し、威嚇対象者の視覚を奪った後は、ブザー８を鳴動させ続け、周囲に警報音を伝え続ける。したがって、フラッシュバルブ５による閃光の後に威嚇対象者の視力が回復しても、警報音の継続により威嚇対象者が再び襲ってくること防ぐことができる。
【００２６】
なお、電源スイッチ２は、図５に符号２０で示す位置に挿入しても差し支えない。このときは、発光ダイオードＬ１には常時電流が流れ、電源の電力を消費し続けるが、抵抗Ｒ１の抵抗値を十分に大きくして、発光ダイオードＬ１に流す電流を極く小さくしても発光ダイオードＬ１は視認できる程度の輝度で発光するので、電源の電池容量の消耗は実質上問題にならない。
【００２７】
以上に本実施の形態の威嚇装置の作動につき詳しく説明した。この実施の形態の構造につき次に説明する。
【００２８】
反射鏡１５は、フラッシュバルブ５の閃光を反射し、平行な光束に近づくように閃光の光束を収束する。本発明の装置では反射鏡は必須である。フラッシュバルブ５が携帯に適した実用的な大きさであるとすると、反射鏡１５がないならば、閃光によって相手の視覚を一時的にせよ奪うことはほとんど不可能である。また、反射鏡１５には、閃光により使用者自身の視覚が低下するのを防ぐ効果もある。
【００２９】
反射鏡１５の底には反射鏡取り付け部材１２がねじＧ１，Ｇ２，Ｇ３，Ｇ４で固定されている。筐体１０には同様なねじで張り出し部材１１が固定されている。締めねじ１３は、反射鏡取り付け部材１２と張り出し部材１１とを締めつけて固定し、又は締付を弛めて９０度程度だけ両者を回転できるように連結している。この締付ねじ１３の締付の調節により、この威嚇装置を図１又は図３の状態に設定できる。
【００３０】
本威嚇装置は、掛け具１７により衣服に装着し、又は吊り下げ紐１８により衣服やバンド等に装着する。
【００３１】
この実施の形態の威嚇装置は、賊などの相手を威嚇するのにフラッシュバルブ５による閃光を用いるので、相手との距離が警棒やスタンガンの届かないほど離れていても、相手に十分に脅威を与えることができ、相手を威嚇し、退散させ、又は取り押さえることを容易にするだけの威力を有する。
【００３２】
【発明の効果】
以上に実施の形態を挙げて詳しく説明したように、本発明の威嚇装置は、隊員などの使用者が携帯でき、賊などの相手を威嚇しようとするとき、反射部の指向方向を相手に向け、操作部から閃光命令を与えることにより、閃光部に閃光を発させると共に、その閃光を反射部で反射し、相手の目の方向に閃光を指向させ、その賊などの威嚇相手の網膜を強い閃光により急激に刺激し、威嚇相手の視力を一時的に奪う。この威嚇装置は、閃光を相手の目に照射し、相手の視力を一時的に奪い、相手を威嚇するのであるから、使用者と相手との距離がある程度離れていても威嚇の効果が大きく、しかも人を殺傷する虞がない。
【００３３】
さらに、監視表示部を備えることにより、本威嚇装置の有効性の有無の情報を使用者に任意の時に与えることができる。稀にしか閃光を発するようには使用されない本装置の信頼性を確認するために、監視表示部は極めて有効である。
【００３４】
また、監視表示部を発光ダイオードと抵抗の直列回路で構成することにより、微小なる消費電流で閃光部の良否を常時監視できる。その直列回路にさらにツェナーダイオードなどの電圧検出用ダイオードを設けることにより、電源の電池容量が閃光部に閃光を発させるのに足りるか否かを、発光ダイオードが発光しているか否かで表示できる。
【００３５】
また、操作部を２つの開閉スイッチで構成し、両開閉スイッチを直列に接続するとともに、電池を筐体に収容し、筐体を片手で把持できる形態に構成し、受力子を両開閉スイッチにそれぞれ備え、片手の親指及び人差し指で同時に押せる位置に受力子を設けることにより、使用者の操作の誤りにより操作部から閃光命令を入力してしまい、使用者の意図に反して閃光部を閃光させてしまう虞を効果的に軽減でき、しかも必要な時には一挙手で瞬時に閃光命令を操作部に与えることができる。
【００３６】
このように、本発明によれば、隊員等の使用者と賊等の威嚇対象者との距離が離れていても威嚇対象者の動きを封じ得る程度に威嚇対象者を威嚇でき、しかも人を殺傷する虞のない装置を提供できる。
【図面の簡単な説明】
【図１】反射鏡の指向軸を筐体の長手軸に一致させた状態における本発明の一実施の形態の威嚇装置を示す右側面図（Ａ）及び正面図（Ｂ）である。
【図２】図１の威嚇装置の平面図である。
【図３】反射鏡の指向軸を筐体の長手軸に対し直交させた状態における本発明の一実施の形態の威嚇装置を示す右側面図（Ａ）及び正面図（Ｂ）である。
【図４】図１（Ａ）の形態において反射鏡の指向軸を通り紙面に平行な平面における威嚇装置の断面を示す図（Ａ）及びその威嚇装置の正面図（Ｂ）である。
【図５】図１〜図４に示した威嚇装置の電気回路図である。
【符号の説明】
２・・・・・電源スイッチ
２ａ・・・・・電源スイッチ２の開閉つまみ
３，４・・・・・発光スイッチ
５・・・・・フラッシュバルブ
６・・・・・発光信号記憶回路
７・・・・・ブザー駆動回路
８・・・・・ブザー
１０・・・・・筐体
１１・・・・・張り出し部材
１２・・・・・反射鏡取り付け部材
１３・・・・・締付ねじ
１４・・・・・バルブソケット
１５・・・・・反射鏡
１６・・・・・リード線
１７・・・・・掛け具
１８・・・・・吊り下げ紐
２０・・・・・電源スイッチ挿入可能部
３１，３２・・・・・電池ボックス
Ｂ１，Ｂ２，Ｂ３，Ｂ４・・・・・電池
Ｄ１・・・・・ツェナーダイオード
Ｄ２・・・・・逆流防止ダイオード
Ｇ１，Ｇ２，Ｇ３，Ｇ４・・・・・ねじ
Ｌ１・・・・・発光ダイオード
Ｐ１，Ｐ２，Ｐ３，Ｐ４・・・・・電池ボックス側接触端子
Ｑ１，Ｑ２，Ｑ３，Ｑ４・・・・・筐体側接触端子
Ｒ１・・・・・抵抗
【図１】
0003875786.tif 000002
【図２】
0003875786.tif 000003
【図３】
0003875786.tif 000004
【図４】
0003875786.tif 000005
【図５】
0003875786.tif 000006